(57)【要約】 【課題】集合玄関機がカメラを有しなくても、留守の際に、訪問があったことを確認できるようにする。【解決手段】  住戸番号を指定するテンキー１１と呼出釦１２とを有する集合玄関機１０と、集合玄関機からの呼出時に通話手段２５を操作して、集合玄関機と通話する住宅情報盤２０と、その住宅情報盤と集合玄関機との通話を制御する制御装置３０とを備えたインターホンシステムにおいて、住宅情報盤に、現在の時刻を計る時計部２１と、集合玄関機からの呼出時に起動するタイマ２２と、履歴メモリ２７とを設け、そのタイマが計測する所定時間の間、通話手段２５が操作されないと、時計部から時刻情報を読み込んで着信用の履歴メモリに保存する。【選択図】図１
2007266792.tif 000002
【特許請求の範囲】
【請求項１】
住戸番号を指定するテンキーと呼出釦とを有する集合玄関機と、該集合玄関機からの呼出時に通話手段を操作して、前記集合玄関機と通話する住宅情報盤と、該住宅情報盤と前記集合玄関機との通話を制御する制御装置とを備えたインターホンシステムにおいて、
前記住宅情報盤に、現在の時刻を計る時計部と、前記集合玄関機からの呼出時に起動するタイマと、履歴メモリとを設け、
該タイマが計測する所定時間の間、前記通話手段が操作されないと、前記時計部から時刻情報を読み込んで着信用の前記履歴メモリに保存することを特徴とするインターホンシステム。
【請求項２】
前記集合玄関機からの呼出に対して前記住宅情報盤が所定時間応答しないときに、前記集合玄関機の操作者に、個人の識別情報の入力を促すメッセージを出力することを特徴とする請求項１記載のインターホンシステム。
【請求項３】
前記集合玄関機を操作して入力された、前記個人の識別情報は、前記住宅情報盤の前記着信用の履歴メモリに時刻情報と共に保存されることを特徴とするインターホンシステム。
【発明の詳細な説明】
【技術分野】
【０００１】
本発明は、インターホンシステムに関するものである。
【背景技術】
【０００２】
従来、マンションなどの集合住宅や戸建の住宅には、インターホンが設けられている。例えば、集合住宅においては、集合玄関に集合玄関機が設けられ、居室には住宅情報盤が設けられ、両者はインターホンにより通話できるようになっている。こうして住戸を訪れる訪問者は、集合玄関機を操作して、希望の住戸を呼び出すことができる。
【０００３】
特許文献１に示すように、住宅情報盤には、録画ユニットを設けることができる。録画ユニットは、居住者の留守中に来た訪問者の映像を集合玄関機のカメラで撮像して録画するものである。この録画ユニットを設けることで、留守の間に、誰が訪問したのかを確認することができる。
【特許文献１】特開平９−１８６７７６号公報
【発明の開示】
【発明が解決しようとする課題】
【０００４】
録画ユニットは、集合玄関機がカメラ付きタイプであることを前提としており、既存の古い物件において、集合玄関機にカメラがない場合には、録画ユニットを付けることができなかった。このため、集合玄関機がカメラを備え付けていないインターホンシステムにおいては、留守の際に、訪問者があっても、その訪問があったことを確認することができなかった。
【０００５】
そこで、本発明は、集合玄関機がカメラを有しなくても、留守の際に、訪問があったことを確認できるようにすることを目的とする。
【課題を解決するための手段】
【０００６】
本発明は、住戸番号を指定するテンキーと呼出釦とを有する集合玄関機と、該集合玄関機からの呼出時に通話手段を操作して、前記集合玄関機と通話する住宅情報盤と、該住宅情報盤と前記集合玄関機との通話を制御する制御装置とを備えたインターホンシステムにおいて、住宅情報盤に、現在の時刻を計る時計部と、前記集合玄関機からの呼出時に起動するタイマと、履歴メモリとを設け、そのタイマが計測する所定時間の間、前記通話手段が操作されないと、前記時計部から時刻情報を読み込んで着信用の前記履歴メモリに保存することを特徴とするものである。
【発明の効果】
【０００７】
本発明は以上のように構成され、留守の際に、訪問者が来て、集合玄関機を操作した場合には、集合玄関機による呼出時刻が時計部から読み込まれて、着信用の履歴メモリに保存される。このため、帰宅時に、住宅情報盤で、その着信用の履歴メモリの内容を確認することで、留守の間に、誰か訪問があったのかどうかを確認することができる。
【０００８】
また、集合玄関機からの呼出に対して、住宅情報盤が所定時間応答しないときには、集合玄関機の操作者に対して、個人の識別情報の入力を促すメッセージが出力されるので、集合玄関機の操作者は、自分が訪問したことを記録として残すことができる。
【０００９】
集合玄関機を操作して入力された、個人の識別情報は、住宅情報盤の着信用の履歴メモリに時刻情報と共に保存されるので、住戸の居住者は、帰宅時に、着信用の履歴メモリの個人の識別情報を見ることで、留守時に、誰が訪問しに来たのかを知ることができる。
【発明を実施するための最良の形態】
【００１０】
以下、本発明の実施の形態を、図面を用いて説明する。図１は本発明のインターホンシステムのブロック図、図２はインターホンシステムのフローチャートを示す。図１において、１０は集合玄関に設けられる集合玄関機、２０は住戸内に設けられる住宅情報盤、３０は制御装置で、集合玄関機１０と住宅情報盤２０の間に設けられる。集合玄関機１０及び住宅情報盤２０は、通話線や制御線を介して制御装置３０に接続され、この制御装置３０が、住宅情報盤２０と集合玄関機１０との通話を制御している。
【００１１】
集合玄関機１０は、住戸番号を指定するテンキー１１と、呼出釦１２と、図示しないスピーカやマイクからなる通話部１３と、表示部１４とを有する。この表示部１４には、テンキー１１で入力した住戸番号が表示される他、集合玄関機１０からの呼出に対して、住宅情報盤２０が所定時間応答しないときに、集合玄関機の操作者に、個人の識別情報の入力を促すメッセージを表示する。
【００１２】
住宅情報盤２０は、現在の時刻を計る時計部２１と、集合玄関機１０からの呼出時に起動するタイマ２２と、スピーカやマイクからなる通話部２３と、表示部２４と、通話手段としての通話釦２５と、操作釦２６と、着信用の履歴メモリ２７と、制御部２８とを備えている。この住宅情報盤２０は、集合玄関機１０からの呼出時に、通話手段２５を操作して、集合玄関機１０と通話する。なお、制御装置３０も、集合玄関機１０からの呼出時に起動するタイマ３２を備えている。
【００１３】
また、住宅情報盤２０は、タイマ２２が計測する所定時間、例えば４５秒の間、通話手段２５が操作されないと、時計部２１から時刻情報を読み込んで着信用の履歴メモリ２７に保存する。なお、着信用の履歴メモリ２７には、集合玄関機１０を操作して入力された、個人の識別情報も、時刻情報と共に保存される。
【００１４】
次に本発明の動作手順を図２のフローチャートを用いて説明する。図２のステップ１（以下、Ｓ１と記載する）において、集合玄関機１０で、テンキー１１を使用して住戸番号、例えば７０３を入力して、呼出釦１２を押して７階の３号室の住戸を呼び出す。集合玄関機１０からの呼出信号は、制御装置３０を介して住宅情報盤２０に送られ、この集合玄関機１０からの呼出によって、住宅情報盤２０のタイマ２２と、制御装置３０のタイマ３２とが起動される（Ｓ２，Ｓ３）。また住宅情報盤２０では、呼出音が鳴動する。
【００１５】
Ｓ４において、住宅情報盤２０で応答の有無が判断され、居住者が在室しており、通話釦２５を押して、集合玄関機１０からの呼出に応じると、両者の通話部２３と通話部１３が接続され、インターホンによる通話を行うことができる（Ｓ５）。もし、居住者が不在で、先に起動したタイマ２２が計測する所定時間である４５秒の間、呼出に応答しない場合、つまり、通話釦２５が操作されないと（Ｓ６）、制御部２８は、時計部２１から現在の時刻情報を読み込んで着信用の履歴メモリ２７に保存する（Ｓ７）。このようにして、集合玄関機１０からの呼出のあった時刻が、履歴メモリ２７に保存されることになる。
【００１６】
このように、集合玄関機１０からの呼出に対して、住宅情報盤２０が所定時間応答しないと、制御装置３０のタイマ３２も所定時間である４５秒が経過してタイムアップ
するので、制御装置３０から集合玄関機１０にメッセージ要求信号が送られる。集合玄関機１０では、この要求信号の受信に伴い、集合玄関機１０の操作者に、個人の識別情報の入力を促すメッセージを表示部１４に出力する（Ｓ８）。具体的に言えば、表示部１４に、「テンキーを使用して電話番号、又は住戸番号、もしくは住所を入力して下さい」という内容のメッセージを表示する。ここでは、電話番号、住戸番号、住所が個人の識別情報となる。
【００１７】
ここで、集合玄関機１０の操作者である訪問者は、テンキー１１を操作して、例えば００１１２２３３３と自分の電話番号を入力し、最後に呼出釦１２を押す（Ｓ９）。なお、この時に、呼出釦１２を押す代わりに、テンキー１１に設けられた＃の釦を押すようにしてもよい。こうして、制御装置３０からの要求信号のあった後、入力された数値データは、呼出釦１２の操作により、個人の識別情報として制御装置３０を介して、最初に呼び出した住戸（７０３号室）に伝えられる（Ｓ１０）。以上のようにして、集合玄関機１０の操作者は、居住者が留守であっても、自分が訪問したことを記録として残すことができる。
【００１８】
住宅情報盤２０では、集合玄関機１０を操作して入力された、個人の識別情報は、着信用の履歴メモリ２７に先程の時刻情報と共に保存される（Ｓ１１）。つまり、集合玄関機１０からの呼出に対して、住宅情報盤２０が応答しない場合には、集合玄関機１０からテンキー１１を利用して入力した情報が、履歴メモリ２７に保存されることになる。
【００１９】
この履歴メモリ２７に保存した情報は、居住者が帰宅した際、住宅情報盤２０の操作釦２６を操作することで表示部２４に表示出力することができる（Ｓ１２）。従って、帰宅時に、住宅情報盤２０で、着信用の履歴メモリ２７の時刻情報を確認することで、留守の間に、誰か訪問があったのかどうかを確認することができる。また、着信用の履歴メモリには、時刻情報と共に個人の識別情報も保存されるので、住戸の居住者は、個人の識別情報から、留守時に、誰が訪問しに来たのかを知ることができる。また、履歴メモリ２７は、画像や音声が保存されるわけではないので、データ容量が小さくてすむ。
【００２０】
なお、本実施の形態においては、住宅情報盤が所定時間応答しないときに、集合玄関機の操作者に、個人の識別情報の入力を促すメッセージを表示するようにしたが、このメッセージは、通話部のマイクから音声で出力するようにしてもよい。
【００２１】
また、集合玄関機は、居住者が持っている非接触キーからデータを読み込むデータ読み取り装置が設けられるが、このデータ読み取り装置を利用して、訪問者の携帯電話などから個人の識別情報に関わるデータを取り込むようにしてもよい。
【００２２】
また、履歴メモリは集合玄関機に設けてもよく、帰宅時に集合玄関機を操作するときに、集合玄関機の表示部に個人識別情報を表示するようにしてもよい。
【図面の簡単な説明】
【００２３】
【図１】本発明のインターホンシステムのブロック図である。
【図２】本発明のインターホンシステムのフローチャートである。
【符号の説明】
【００２４】
１０ 集合玄関機、  １１  テンキー、  １２  呼出釦、  １３  通話部、
１４  表示部、２０  住宅情報盤、  ２１  時計部、  ２２  タイマ、
２３  通話部、  ２４  表示部、  ２５  通話釦、  ２６  操作釦、
２７  メモリ、  ２８  制御部、  ３０  制御装置、  ｔｔ
【図１】
2007266792.tif 000003
【図２】
2007266792.tif 000004